(57)【特許請求の範囲】
【請求項１】
表面に等間隔に検出マークが形成された長尺状の台紙と、
表面に印字面が形成され、かつ、裏面に粘着剤層が形成され、さらに、前記検出マーク間における前記台紙の一方の面に前記粘着剤層を介して剥離可能に仮着されるとともに、前記検出マーク近辺にＲＦＩＤインレットが内蔵された第１の記録媒体片と、
表面に印字面が形成され、かつ、裏面に粘着剤層が形成され、さらに、前記検出マーク間における前記台紙の他方の面に前記粘着剤層を介して剥離可能に仮着されるとともに、台紙の長手方向における検出マーク間の中央部位にＲＦＩＤインレットが内蔵された第２の記録媒体片と、
を備えたことを特徴とするＲＦＩＤ記録媒体。
【請求項２】
等間隔に検出マークを有するとともに、前記検出マーク間にＲＦＩＤインレットが内蔵された第１および第２の記録媒体片が粘着剤層を介して互いに剥離可能に貼り合わされた長尺状のＲＦＩＤ記録媒体であって、
前記第１の記録媒体片は、
表面に印字面を有し、かつ、裏面に前記粘着剤層が形成されるとともに、前記検出マーク近辺にＲＦＩＤインレットが内蔵され、また、
前記第２の記録媒体片は、
表面に印字面を有し、かつ、裏面に前記粘着剤層が形成されるとともに、前記検出マーク間の長手方向における中央部位にＲＦＩＤインレットが内蔵されることを特徴とするＲＦＩＤ記録媒体。
【請求項３】
前記第１および第２の記録媒体片の粘着剤層は、
互いに間隔を隔てて帯状の剥離剤部と粘着剤部とが千鳥状に配列され、
一方の記録媒体片の粘着剤部と他方の記録媒体片の剥離剤部とが重合されるよう貼り合わされることを特徴とする請求項２に記載のＲＦＩＤ記録媒体。
【請求項４】
前記第１および第２の記録媒体片の粘着剤層は、
一方の記録媒体片には粘着剤が塗布され、
他方の記録媒体片には粘着剤が塗布されるとともに、部分的に非粘着剤が塗布されることを特徴とする請求項２に記載のＲＦＩＤ記録媒体。
【発明の詳細な説明】
【技術分野】
【０００１】
本発明は、特に、両面印字が可能であり、かつ、表裏両面にＲＦＩＤインレットが内蔵されたＲＦＩＤ記録媒体に関する。
【背景技術】
【０００２】
従来、医薬品の情報や物流における商品情報、送り先の情報、あるいは、食品添加物などの情報を目視可能なヒューマン文字、あるいは、バーコードにてラベルに印字するとともに、印字されたラベルを対象とする被貼付物（医薬品、物流に用いる段ボール、食料品など）に貼り付けて表示するようなことが多分野で行われている。
ところで近年、食品衛生法の改正による表示項目の増加や、物流における配送品の追跡、いわゆるトレーサビリティなどの必要性から表示する情報量が増えてきており、増加する情報量に対応するような「記録媒体」が要請されている。
上記の要請に対応するため、両面に印字が可能な記録媒体（積層感熱記録シート）が開発されている（例えば、特許文献１参照）。
特許文献１の積層感熱記録シートによれば、上側感熱紙と下側感熱紙を粘着財層および離型処理層を介して積層して両面印字を可能とするとともに、上側感熱紙と下側感熱紙を剥離させて個別に管理することができ、例えば、同シートを宅配伝票として用いた場合、上下両側の感熱紙に配送先、配送元情報などを印字するとともに上側および下側感熱紙を分離し、上側感熱紙を荷物に貼着し、かつ、下側感熱紙を顧客に控えとして手渡すようになっている。
しかしながら、情報を印字させる方法であると、情報の一部をバーコード、二次元コードなどによってコード化したとしても、印字して表示できる情報量はラベルなどの記録媒体の大きさにより限定され、しかも、情報の追加、書き換えが不可という問題があった。
上記の問題点を解消するため、情報の書き換えが可能であり、かつ、記憶できる情報量が多いＲＦＩＤ（Ｒａｄｉｏ  Ｆｒｅｑｕｅｎｃｙ  Ｉｄｅｎｔｉｆｉｃａｔｉｏｎ）に各種情報を記憶すると共に、記憶した情報の一部を目視できるよう印字するようなことが行われている（例えば、特許文献２参照）。
引用文献２のＲＦＩＤラベル（記録媒体）は、台紙と印字ラベルとの間に、ＩＣチップとそれに接続したアンテナから構成されるインレットが配置されて構成されている。
このＲＦＩＤラベル（記録媒体）は供給軸に装着され、プラテンローラとサーマルヘッドを備えた印字部に繰り出される搬送途中で、供給軸と印字部との間に配設されたリーダ／ライタを介してＩＣチップに情報を書き込み、あるいは、ＩＣチップから情報を読取るようになっている。
ところで、ＲＦＩＤラベルのインレットは、表側、あるいは裏側のいずれか一方の面に配設せざるを得なかった。なぜなら、前記リーダ／ライタによりＲＦＩＤラベルのインレットへ書込み・読込みを行う際、表裏両面にインレットが存在すると同じ情報を書き込む虞があり、表裏両面にインレットが内蔵されたＲＦＩＤラベル（記録媒体）は実現が困難であった。
【先行技術文献】
【特許文献】
【０００３】
【特許文献１】特開２０００−１８５４６５号
【特許文献２】特開２００６−１５５４１４号
【発明の概要】
【発明が解決しようとする課題】
【０００４】
本発明は、上記の諸問題に着目して成されたものであり、少なくとも表側あるいは裏側の一方より所望の情報の書込みを可能とした、表裏両面にＲＦＩＤインレットを内蔵したＲＦＩＤ記録媒体を提供することを課題とする。
【課題を解決するための手段】
【０００５】
本発明の第１の発明に係るＲＦＩＤ記録媒体は、表面に等間隔に検出マークが形成された長尺状の台紙と、表面に印字面が形成され、かつ、裏面に粘着剤層が形成され、さらに、前記検出マーク間における前記台紙の一方の面に前記粘着剤層を介して剥離可能に仮着されるとともに、前記検出マーク近辺にＲＦＩＤインレットが内蔵された第１の記録媒体片と、表面に印字面が形成され、かつ、裏面に粘着剤層が形成され、さらに、前記検出マーク間における前記台紙の他方の面に前記粘着剤層を介して剥離可能に仮着されるとともに、台紙の長手方向における検出マーク間の中央部位にＲＦＩＤインレットが内蔵された第２の記録媒体片と、を備えたことを特徴とする。
また、第２の発明に係るＲＦＩＤ記録媒体は、等間隔に検出マークを有するとともに、前記検出マーク間にＲＦＩＤインレットが内蔵された第１および第２の記録媒体片が粘着剤層を介して互いに剥離可能に貼り合わされた長尺状のＲＦＩＤ記録媒体であって、前記第１の記録媒体片は、表面に印字面を有し、かつ、裏面に前記粘着剤層が形成されるとともに、前記検出マーク近辺にＲＦＩＤインレットが内蔵され、また、前記第２の記録媒体片は、表面に印字面を有し、かつ、裏面に前記粘着剤層が形成されるとともに、前記検出マーク間の長手方向における中央部位にＲＦＩＤインレットが内蔵されることを特徴とする。
また、第１および第２の記録媒体片の粘着剤層を、互いに間隔を隔てて帯状の剥離剤部と粘着剤部とが千鳥状に配列され、一方の記録媒体片の粘着剤部と他方の記録媒体片の剥離剤部とが重合されるよう貼り合わされるようにできる。
さらに、第１および第２の記録媒体片の粘着剤層を、一方の記録媒体片には粘着剤が塗布され、他方の記録媒体片には粘着剤が塗布されるとともに、部分的に非粘着剤が塗布されるようにできる。
【発明の効果】
【０００６】
本発明の第１の発明に係るＲＦＩＤ記録媒体は、等間隔に形成された検出マーク近辺にＲＦＩＤインレットが内蔵された第１の記録媒体片と、長手方向における検出マーク間の中央部位にＲＦＩＤインレットが内蔵された第２の記録媒体片と、を備えたため、第１の記録媒体片のＲＦＩＤインレットと第２の記録媒体片のＲＦＩＤインレット１１が検出マーク３間において重なることのない、長手方向においてずれた位置に配設され、以て、台紙の表裏両面にＲＦＩＤインレットを内蔵させたとしても読込み／書込み時、別個に読込み／書込みが可能であるという効果がある。
第１および第２の記録媒体片の粘着剤層を、互いに間隔を隔てて帯状の剥離剤部と粘着剤部とが千鳥状に配列され、一方の記録媒体片の粘着剤部と他方の記録媒体片の剥離剤部とが重合され貼り合わされるようにすれば、第１および第２の記録媒体片の剥離が容易であるとともに、剥離された記録媒体片は、被対象物に貼り付けるようにできる。
また、第１および第２の記録媒体片の粘着剤層を、一方の記録媒体片には粘着剤が塗布され、他方の記録媒体片には粘着剤が塗布されるとともに、部分的に非粘着剤が塗布されるようにすれば、第１および第２の記録媒体片の剥離が容易であるとともに、剥離された記録媒体片は、被対象物に貼り付けるようにできる。
【図面の簡単な説明】
【０００７】
【図１】本発明に係るＲＦＩＤ記録媒体の一実施の形態を示す概略斜視図である。
【図２】同、図１中、矢示ＩＩ方向より見た拡大平面図である。
【図３】同、図２中、矢示ＩＩＩ−ＩＩＩ線に沿う概略断面図である。
【図４】同、第２の実施の形態を示す図２相当の拡大平面図である。
【図５】同、図４中、矢示ＩＶ−ＩＶ線に沿う概略断面図である。
【図６】同、図５中、ＶＩ部分の部分拡大説明図である。
【図７】同、第３の実施の形態を示す概略斜視図である。
【図８】本発明に係るＲＦＩＤ記録媒体を使ったＲＦＩＤ記録媒体発行装置の一例である。
【発明を実施するための最良の形態】
【０００８】
本発明に係るＲＦＩＤ記録媒体の一実施の形態につき、図１ないし図３に基づいて説明する。
図１は、ＲＦＩＤ記録媒体の概略斜視図、図２は、図１中、矢示ＩＩ方向より見た拡大平面図、図３は、図２中、矢示ＩＩＩ−ＩＩＩ線に沿う概略断面図である。
【０００９】
同図に示すように、ＲＦＩＤ記録媒体１は、長尺状の台紙２と、台紙２の少なくとも一方の面に予め等間隔に印刷された位置検出用の矩形状の検出マーク３と、台紙２の一方の面に仮着された第１の記録媒体片４と、台紙２の他方の面に仮着された第２の記録媒体片５と、を備える。
【００１０】
第１の記録媒体片４は、裏面に粘着剤が塗布された粘着剤層６を形成するとともに、表面の「印字面」は感熱発色剤が塗布された感熱発色層７にて形成され、かつ、検出マーク３間における台紙２の一方の面（図１、図３における下面）に前記粘着剤層６を介して仮着したものであり、検出マーク３間が一葉の記録媒体片４となってこれを台紙２の長手方向Ｌに連続して仮着してある。
また、第１の記録媒体片４には、一端側（図においては、長手方向Ｌの左側）の検出マーク３の近辺に図示省略のＩＣチップおよびアンテナを備えたＲＦＩＤインレット８が配設されて内蔵されている。
なお、台紙２の一方および他方の面（台紙２の表裏面）の表面には、図示省略の離型剤が塗布されており、台紙２に仮着された第１および第２の記録媒体片４、５の、台紙２よりの剥離が円滑となるようにされている。
【００１１】
第２の記録媒体片５は、第１の記録媒体片４と同様、裏面に粘着剤が塗布された粘着剤層9を形成するとともに、表面の「印字面」は感熱発色剤が塗布された感熱発色層１０にて形成され、かつ、検出マーク３間における台紙２の他方の面（図における上面）に前記粘着剤層９を介して仮着したものであり、検出マーク３間が一葉の記録媒体片５となって、台紙２の長手方向Ｌに連続して仮着されている。
また、検出マーク３間に仮着された第２の記録媒体片５には、長手方向Ｌにおける中央部位に図示省略のＩＣチップおよびアンテナを備えたＲＦＩＤインレット１１が配設されて内蔵されている。
すなわち、検出マーク３間における台紙２の他方の面（図３における上面）に粘着剤層９を介して第２の記録媒体片５が一葉仮着され、これが長手方向Ｌに連続して設けられるものであり、台紙２の一方の面および他方の面に仮着された第１および第２の記録媒体片４、５は表面側の感熱発色層７、１０が表出するとともに、第１の記録媒体片４のＲＦＩＤインレット８と第２の記録媒体片５のＲＦＩＤインレット１１が検出マーク３間において重なることのない、長手方向Ｌにおいてずれた位置に配設されるものである。
なお、ＲＦＩＤ記録媒体１は、図示省略の巻芯にロール状に巻回してロール状に形成してある（図１参照）。
【００１２】
上述したように、台紙２の一方の面に（第１の）粘着剤層６を介して仮着された第１の記録媒片４に内蔵された（第１の）ＲＦＩＤインレット８は、検出マーク３の近辺に内蔵され、また、台紙２の他方の面に（第２の）粘着剤層９を介して仮着された第２の記録媒片５に内蔵された（第２の）ＲＦＩＤインレット１１は、台紙２の長手方向Ｌにおける検出マーク３間の中央部位に内蔵され、第１の記録媒体片４のＲＦＩＤインレット８と第２の記録媒体片５のＲＦＩＤインレット１１が検出マーク３間において重なることのない、ずれた位置に配設されるため、台紙２の表裏両面にＲＦＩＤインレット８、１１を内蔵させたとしても読込み／書込み時、別個に読込み／書込みが可能なＲＦＩＤ記録媒体１が実現できるものである。
また、第１および第２の記録媒体片４、５は、図示省略の離型剤が塗布されている台紙２上に粘着剤層６、９を介して仮着されているので、台紙２よりの剥離が容易であり、かつ、剥離した記録媒体片４、５は、物流に使用される段ボールなどの被貼付物（図示省略）に対し、粘着剤層６、９にて貼り付けることができるものである。
【００１３】
次に、主に、図４ないし図６に基づき、他の実施の形態のＲＦＩＤ記録媒体につき説明する。
なお、以下において、先の実施の形態と同様の部分は同一符号を付すに止め、詳説は省略する。
図４は、図２相当の拡大平面図、図５は、図４中、矢示ＩＶ−ＩＶ線に沿う概略断面図、図６は、図５中、ＶＩ部分の部分拡大説明図である。
【００１４】
同図に示すように、長手方向Ｌに長尺状に形成されたＲＦＩＤ記録媒体２１は、等間隔に印刷された検出マーク２２を備えており、第１の記録媒体片２３と第２の記録媒体片２４とが「粘着剤層」を介して互いに剥離可能に貼り合わされている。
第１の記録媒体片２３は、主に、図６に示されるように、裏面（内側）に粘着剤が塗布された粘着剤部２５と離型剤が塗布された離型剤部２６が、互いに間隔を隔てて帯状に形成されている。すなわち、帯状の粘着剤部２５と離型剤部２６とが、千鳥状に配列されている。また、表面の「印字面」は、感熱発色剤が塗布された感熱発色層２７にて形成されている。
また、前記検出マーク２２は、表面に表出した「印字面」としての感熱発色層２７に予め等間隔に印刷されており、検出マーク２２の一端側（図においては、長手方向Ｌの左側）近辺に図示省略のＩＣチップおよびアンテナを備えた第１のＲＦＩＤインレット２８が配設されて内蔵されている。
【００１５】
第２の記録媒体片２４は、第１の記録媒体片２３と同様、裏面に粘着剤が塗布された粘着剤部２９と離型剤が塗布された離型剤部３０が、互いに間隔を隔てて帯状に形成された千鳥状に配列されている。
また、表面に表出した「印字面」は、感熱発色剤が塗布された感熱発色層３１にて形成されている。
また、第２の記録媒体片２４は、検出マーク２２（第１の記録媒体片２３参照）間の中央部位にＲＦＩＤインレット３２が配設されて内蔵されている。
そして、第１の記録媒体片２３の粘着剤部２５と第２の記録媒体片２４の離型剤部３０が、また、第１の記録媒体片２３の離型剤部２６と第２の記録媒体片２４の粘着剤部２９が、各々対応するように組み合わされることにより、第１および第２の記録媒体片２３、２４が剥離可能に貼り合わされた長尺状のＲＦＩＤ記録媒体２１が形成されるものであり、千鳥状に配設された前記第１の粘着剤部２５および離型剤部２６、並びに第２の記録媒体片２４の離型剤部３０および粘着剤部２９が重合されて粘着剤層３３が形成されるものである。
なお、ＲＦＩＤ記録媒体２１は、検出マーク２２間が一葉の「記録媒体片」とされるものであり、検出マーク２２間において、第１の記録媒体片２３のＲＦＩＤインレット２８と第２の記録媒体片２４のＲＦＩＤインレット３２は重なることのない、長手方向Ｌにおいてずれた位置に配設されるものである。
また、ＲＦＩＤ記録媒体２１は、粘着剤部２５および離型剤部２６が千鳥状に形成された第１の記録媒体片２３、並びに粘着剤部２９および離型剤部３０が千鳥状に形成された第２の記録媒体片２４にて構成された粘着剤層３３にて貼り合わされているため、検出マーク２２を目印に図示せぬカッター装置にて一葉の「記録媒体片」に切断した場合、第１および第２の記録媒体片２３、２４は剥離が容易であるとともに、剥離した記録媒体片２３、２４は、段ボールなどの被貼付物（図示省略）に貼り付けることができるものである。
なお、説明の都合上、本実施の形態では、粘着剤部２５、２９および離型剤部２６、３０は、ＲＦＩＤ記録媒体２１の幅方向（長手方向Ｌに交差する方向）に配列された例で説明したがこれに限定されないことは勿論であり、長手方向Ｌに千鳥状に配列しても構わないものである。
その他の構成、作用、効果は、先の実施の形態とほほ同様につき、詳説を省略する。
【００１６】
次に、図７に基づき、第３の実施の形態のＲＦＩＤ記録媒体４１を説明する。
図７のＲＦＩＤ記録媒体４１は、図４ないし図６のＲＦＩＤ記録媒体２１の変形例を示している。
なお、以下において、先の実施の形態と同様の部分は同一符号を付すに止め、詳説は省略する。
長手方向Ｌに長尺状に形成されたＲＦＩＤ記録媒体４１は、等間隔に印刷された検出マーク２２を備えており、第１の記録媒体片２３と第２の記録媒体片２４とは、「粘着剤層」を介して互いに剥離可能に貼り合わされている。
第１の記録媒体片２３は、裏面（内側）に粘着剤を塗布した粘着剤層４２が形成され、また、表面の「印字面」は、感熱発色剤を塗布した感熱発色層２７が形成されている。
また、検出マーク２２は、「印字面」としての感熱発色層２７に予め等間隔に印刷されており、検出マーク２２の一端側（図においては、長手方向Ｌの左側）近辺に第１のＲＦＩＤインレット２８が配設されて内蔵されている。
【００１７】
第２の記録媒体片２４は、表面が感熱発色剤を塗布した感熱発色層３１にて形成された「印字面」となっている。
裏面は、粘着剤を全面に一旦塗布した後で非粘着剤（図示省略）を塗布した、いわゆる「糊殺し加工」した部分粘着剤層４３が形成されている。
また、第２の記録媒体片２４は、検出マーク２２（第１の記録媒体片２３参照）間の中央部位にＲＦＩＤインレット３２が配設されて内蔵されている。
そして、第１の記録媒体片２３の粘着剤層４２と第２の記録媒体片２４の部分粘着剤層４３が重合されて、第１および第２の記録媒体片２３、２４が剥離可能となるような「粘着剤層」が形成されるものである。
「粘着剤層」より剥離された第１および第２の記録媒体片２３、２４は、各々粘着剤層４２および部分粘着剤層４３を介して被貼付物（図示省略）に貼り付けることができる。
その他の構成、作用、効果は、先の実施の形態とほほ同様につき、詳説を省略する。
【００１８】
次に、本発明のＲＦＩＤ記録媒体を使ったＲＦＩＤ記録媒体片のＲＦＩＤ記録媒体発行方法につき説明する。
図８は、本発明の第１に実施の形態のＲＦＩＤ記録媒体１を使ったＲＦＩＤ記録媒体発行装置５１の一実施の形態の構成例を示している。同図に示すように、ＲＦＩＤ記録媒体発行装置（以下、適宜、単に「発行装置」と称する）５１は、台紙２の表裏両面に第１および第２のＲＦＩＤインレット８、１１が内蔵されたＲＦＩＤ記録媒体(以下、適宜、「記録媒体」と称する）１を供給する媒体供給軸５２と、記録媒体１の一方の面（同図における下面）に所定の印字データを印字する第１の印字部５３と、記録媒体１の他方の面（同図における上面）に所定の印字データを印字する第２の印字部５４と、記録媒体１を両面から回動自在に挟持して第１および第２の印字部５３、５４側に案内する送りローラ５５と、検出部５６と、ＲＦＩＤ読取り・書込み部５７と、切断部５８と、前記各部を制御する制御部５９と、を備えている。
【００１９】
第１の印字部５３は、サーマルヘッド６０と、記録媒体１をサーマルヘッド６０との間で押圧するプラテン６１とを備え、プラテン６１の回動により搬送方向（矢示Ｆ方向）、または、搬送逆方向(矢示Ｂ方向)へ記録媒体１を搬送するようになっている。なお、第１の印字部５３のサーマルヘッド６０は、記録媒体１の裏面（図における台紙２の下方）側に設けられており、第１の記録媒体片４に対し所望の印字データを印字するようになっている。
第２の印字部５４は、第２の記録媒体片５側に設けられたサーマルヘッド６２と、記録媒体１をサーマルヘッド６２との間で押圧するプラテン６３とを備え、プラテン６３の回動により搬送方向（矢示Ｆ方向）、または、搬送逆方向(矢示Ｂ方向)へ記録媒体１を搬送しながら第２の記録媒体片５に対し所望の印字データを印字するようになっている。
【００２０】
送りローラ５５は、記録媒体１を両面から回動自在に挟持して第１および第２の印字部５３、５４（搬送方向Ｆ）側に搬送(フィード)、および印字部５３、５４から媒体供給軸５２(搬送逆方向Ｂ)側へ逆搬送（バックフィード）するためのフィードローラである。
【００２１】
検出部５６は、所定の光を出射する発光部５６ａ、およびこの発光部５６ａから出射された光の記録媒体１からの反射光を受光し、受光した光の強度（単位時間当たりの受光量）に対応する電気信号を出力する受光部５６ｂからなる反射センサであり、記録媒体１の裏面（図における下部）側に発光部５６ａと受光部５６ｂを配し、記録媒体１の裏面に予め印刷された前記検出マーク３を受光部５６ｂの受光量に基づいて検出する「位置検出用センサ」である。
【００２２】
ＲＦＩＤ読取り・書込み部（以下、適宜、「読取り・書込み部」と称す）５７は、前記記録媒体１の第１の記録媒体片４のＲＦＩＤインレット８、および第２の記録媒体片５のＲＦＩＤインレット１１に対する送受信を行う装置であり、図示省略のアンテナを介して第１および第２のＲＦＩＤインレット８、１１の図示省略のＩＣチップの固定ＩＤを読み取るとともに、読み取りができたＩＣチップ（図示省略）に対して図示省略の商品番号や送り先などの必要項目情報（所望の情報）を送信・書き込むようになっている。
【００２３】
切断部５８は、上刃５８ａに対して下刃５８ｂを進退移動させることにより前記記録媒体１を切断して一葉の第１および第２の記録媒体片４、５とするギロチン式の「切断機構」であり、第２の印字部５４の下流に設けられている。
【００２４】
制御部５９は、第１および第２の印字部５３、５４のサーマルヘッド６０、６２やプラテン６１、６３、送りローラ５５、反射センサ５６、読取り・書込み部５７、切断部５８などの各部と図示省略の信号ケーブルを介して接続され、各部を制御するようになっている。
【００２５】
上記の媒体供給軸５２に記録媒体１を装着し、第１および第２の印字部５３、５４側に繰り出すと、第１の印字部５３で第１の記録媒体片４の表面の感熱発色層７に印字を施すとともに、下流の読取り・書込み部５７にて第１のＲＦＩＤインレット８に書込みを行う。
引き続き記録媒体１を下流へ搬送し、第２の記録媒体片５のＲＦＩＤインレット１１が読取り・書込み部５７の直下に到達した時点で同ＲＦＩＤインレット１１に対する書込みを行うともに、下流に搬送して第２の印字部５４にて第２の記録媒体片５の感熱発色層１０に印字を行う。
【００２６】
上述したように、表裏に設けられたＲＦＩＤインレット８、１１が長手方向Ｌにおいてずれて設けられているため、１台の読込み・書込み部５７で表裏両面に配設されたＲＦＩＤインレット８、１１に対し異なった情報が書き込める記録媒体１が実現できるものである。
また、表裏両面に設けられたＲＦＩＤインレット８、１１が長手方向Ｌにおいてずれて設けられているため、台紙２の表裏両面に「ＲＦＩＤ読取り・書込み部」を設けた場合であっても、表裏のＲＦＩＤインレット８、１１への書込み時、干渉することなく別々の情報が書き込み可能となる。
【００２７】
また、上記実施の形態の構成は一例であって、本発明の趣旨を逸脱しない範囲で適宜変更することができることは言うまでもない。
【００２８】
例えば、上記実施の形態における「印字面」としては、「感熱発色層」を設けた例で説明したがこれに限定されないことは勿論であり、単なる上紙で「印字面」を形成し熱転写リボンにより印字を行うようにしてもよい。
【符号の説明】
【００２９】
Ｌ    ＲＦＩＤ記録媒体の長手方向
１    ＲＦＩＤ記録媒体（第１の実施の形態）
２    台紙
３    検出マーク
４    第１の記録媒体片
５    第２の記録媒体片
６    （第１の）粘着剤層
７    （第１の）感熱発色層
８    （第１の）ＲＦＩＤインレット
９    （第２の）粘着剤層
１０  （第２の）感熱発色層
１１  （第１の）ＲＦＩＤインレット
２１  ＲＦＩＤ記録媒体（第２の実施の形態）
２２  検出マーク
２３  第１の記録媒体片
２４  第２の記録媒体片
２５  （第１の）粘着剤部
２６  （第１の）離型剤部
２７  （第１の）感熱発色層
２８  （第１の）ＲＦＩＤインレット
２９  （第２の）粘着剤部
３０  （第２の）離型剤部
３１  （第２の）感熱発色層
３２  （第２の）ＲＦＩＤインレット
３３  粘着剤層
４１  ＲＦＩＤ記録媒体（第３の実施の形態）
４２  粘着剤層
４３  部分粘着層
【図１】
0005783871.tif 000002
【図２】
0005783871.tif 000003
【図３】
0005783871.tif 000004
【図４】
0005783871.tif 000005
【図５】
0005783871.tif 000006
【図６】
0005783871.tif 000007
【図７】
0005783871.tif 000008
【図８】
0005783871.tif 000009